(57)【特許請求の範囲】
【請求項１】
通風ダクトの内部又は後端部に送風ファンを取り付け、高圧水を給水する複数の給水パイプを通風ダクトの吹出口外周位置から吹出方向へ向けて取り付け、各給水パイプの途中位置に給水パイプの高圧水を噴射する複数の噴射ノズルを気流側へ向けて所定間隔をおいて取り付け、前記通風ダクトが、吹出方向を変更できる変形可能な蛇腹で構成され、しかも通風ダクトを基台に配置し、吊下部材の中央部を基台に軸支し、吊下部材と通風ダクトの先端部同士を吊ワイヤで連結し、吊下部材の後端に掛止するフックを基台に対して上下位置調整可能に設け、フックの上下位置を保持する保持具を基台に設け、フックの上下動で通風ダクトの吹出方向を変更できるようにした、噴霧装置。
【請求項２】
各給水パイプを通風ダクトの上半分の位置に取り付けた、請求項１記載の噴霧装置。
【請求項３】
噴射ノズルを給水パイプに対して回転可能に取り付けて噴射角度を調整できるようにした、請求項１又は２記載の噴霧装置。
【発明の詳細な説明】
【技術分野】
【０００１】
本発明は、トンネル発破工事における粉塵の飛散抑制等に用いられる噴霧装置に関する。
【背景技術】
【０００２】
従来の噴霧装置が特許文献１，２に開示されている。特許文献１の技術は、内部に送風ファンが配置された通風ダクトの吹出口外周に通風ダクトより拡径の筒体を取り付け、筒体と通風ダクトの間の位置に複数の噴射ノズルを吹出方向へ向けて取り付けたことを特徴としている。特許文献２の技術は、内部に送風ファンが配置された通風ダクトの吹出口周内に複数の噴射ノズルを吹出方向へ向けて取り付けたことを特徴としている。
【０００３】
ところで、前記技術はいずれも噴射ノズルが吹出方向へ向けて取り付けられているから、噴水が気流の表面に乗って飛んで気流の内部には入り難く、気流全体が均一な噴霧になり難い問題があった。また、濃霧にするために給水量を増加させると、噴水が自重で細霧になり難くなり、風量を向上させないと水滴のまま飛散してしまう問題があった。
【特許文献１】実用新案登録第３１２２１３６号公報
【特許文献２】実開平７−９４５７号公報
【発明の開示】
【発明が解決しようとする課題】
【０００４】
本発明が解決しようとする課題は、従来のこれらの問題点を解消し、気流全体を均一な噴霧にでき、しかも濃霧のために給水量を増加させても水滴になり難い噴霧装置を提供することにある。
【課題を解決するための手段】
【０００５】
かかる課題を解決した本発明の構成は、
１）  通風ダクトの内部又は後端部に送風ファンを取り付け、高圧水を給水する複数の給水パイプを通風ダクトの吹出口外周位置から吹出方向へ向けて取り付け、各給水パイプの途中位置に給水パイプの高圧水を噴射する複数の噴射ノズルを気流側へ向けて所定間隔をおいて取り付け、前記通風ダクトが、吹出方向を変更できる変形可能な蛇腹で構成され、しかも通風ダクトを基台に配置し、吊下部材の中央部を基台に軸支し、吊下部材と通風ダクトの先端部同士を吊ワイヤで連結し、吊下部材の後端に掛止するフックを基台に対して上下位置調整可能に設け、フックの上下位置を保持する保持具を基台に設け、フックの上下動で通風ダクトの吹出方向を変更できるようにした、噴霧装置
２）  各給水パイプを通風ダクトの上半分の位置に取り付けた、前記１）記載の噴霧装置
３）  噴射ノズルを給水パイプに対して回転可能に取り付けて噴射角度を調整できるようにした、前記１）又は２）記載の噴霧装置
にある。
【発明の効果】
【０００６】
本発明によれば、噴射ノズルが気流側へ向けられているから、噴水が気流の内部に強制的に入り込み、気流全体が均一な噴霧となる。また、複数の噴射ノズルを吹出方向に沿って所定間隔をおいて取り付けているから、噴射ノズル１体当りの噴射量を従来技術より相対的に減少でき、濃霧のために給水量を増加しても各噴射ノズルは多量に噴射させる必要がないから、噴水が水滴となり難く、風量を向上させる必要もない。
【発明を実施するための最良の形態】
【０００７】
本発明では、各給水パイプを通風ダクトの上半分の位置に取り付けると、噴水が気流より下方へ落下し難くなり、噴水を無駄なく噴霧にできる。従来技術では、下方の噴射ノズルからの噴水は自重で気流より下方へ落下し、一部が噴霧になり難いことがあった。噴射ノズルを給水パイプに対して回転可能に取り付けると、風量及び風向に適した噴射角度に容易に微調整できる。通風ダクトとしては、蛇腹など吹出方向を容易に変更できる変形可能な材質で構成される。給水タンク内の水は必要に応じて除菌等の浄化処理をして用いられ、浄化装置を併設してもよい。以下、本発明の実施例を図面に基づいて具体的に説明する。
【実施例１】
【０００８】
図１は実施例の噴霧装置の説明図、図２は実施例の噴霧装置の正面図、図３は実施例の噴霧装置の背面図、図４は実施例の噴射ノズルの説明図、図５は実施例の噴霧装置の使用状態を示す説明図である。
【０００９】
図中、１は噴霧装置、２は通風ダクト、３は送風ファン、４は給水パイプ、５は支持部材、６は噴射ノズル、７は給水ホース、８は分配器、９は給水ポンプ、１０は給水タンク、１１は台車、１２は車輪、１３はネット、１４は横棒、１５は保持具、１６はフック、１７は掛止部、１８は吊下部材、１９は吊ワイヤ、２０は取っ手である。
【００１０】
本実施例の噴霧装置１は、図１〜４に示すように蛇腹状の通風ダクト２の後端部に電動の送風ファン３を取り付け、６本の給水パイプ４を通風ダクト２の吹出口外周の上半分位置から吹出方向へ突出するようにＵ字状の支持部材５で等間隔に取り付け、各給水パイプ４の途中位置に気流側へ向けた噴射ノズル６を５体づつ等間隔に取り付けている。
【００１１】
噴射ノズル６と給水パイプ４は水路が連通しており、給水パイプ４に対して一定範囲の角度に回転させることで、噴射方向を微調整できるようにしている。各給水パイプ４の後端には給水ホース７と分配器８と給水ポンプ９を介して給水タンク１０と接続している。
【００１２】
台車１１は上段と下段を有するとともに下端に車輪１２を備え、上段には通風ダクト２を配置し、下段には給水ポンプ９と給水タンク１０を配置し、分配器８を左右の縦フレームに取り付けている。上段の背面には送風ファン３の異物吸引の防止及び作業者の安全性向上の為のネット１３を取り付けている。
【００１３】
上段の背面には横棒１４を横架するとともに、上端に掛止部１７を備えたフック１６を横棒１４と交差させ、フック１６を横棒１４に対して保持具１５で固定位置を変更可能に取り付けている。台車１１の上部には吊下部材１８の中央部を軸支し、その吊下部材１８の後部にフック１６の掛止部１７を掛止し、吊下部材１８の前部と支持部材５とを吊ワイヤ１９で連結している。背面の中段位置には運搬用の取っ手２０を取り付けている。
【００１４】
本実施例では、図５に示すように保持具１５を緩めてフック１６を上下にスライドさせると、吊ワイヤ１９が通風ダクト２の先端部を引張して途中が柔軟に屈曲し、通風ダクト２の上下の向きが所定の角度に調整される。調整後は保持具１５を締め付けて調整角度を保持する。通風ダクト２の左右の向きは台車１１の位置をずらすことで成される。
【００１５】
送風ファン３と給水ポンプ９を作動させると、通風ダクト２から送風されるとともに給水タンク１０内の水が分配器８と給水ホース７を通じて各給水パイプ４へ給水され、噴射ノズル６から気流側（送風の吹出方向と略直角する方向）へ噴射される。噴水は気流の内部に行き渡って全体が均一な細霧となり、気流の勢力で目的位置に噴霧される。
【００１６】
このように、本実施例によれば、噴射ノズル６が気流側へ向けられているから、噴水が気流の内部に強制的に入り込み、気流全体が均一な噴霧となった。また、複数の噴射ノズル６を吹出方向に沿って所定間隔をおいて取り付けているから、噴射ノズル６の１体当りの噴射量を従来技術より相対的に減少でき、濃霧のために給水量を増加しても各噴射ノズル６は多量に噴射させる必要がないから、噴水が水滴となり難く、風量を向上させる必要がないものとなった。
【産業上の利用可能性】
【００１７】
本発明の噴霧装置は、トンネル発破工事における粉塵の飛散抑制と現場の低温化、解体現場の粉塵の飛散抑制、農作物への施湿・施肥・農薬散布、花粉抑制、熱中症対策等に有用である。
【図面の簡単な説明】
【００１８】
【図１】実施例の噴霧装置の説明図である。
【図２】実施例の噴霧装置の正面図である。
【図３】実施例の噴霧装置の背面図である。
【図４】実施例の噴射ノズルの説明図である。
【図５】実施例の噴霧装置の使用状態を示す説明図である。
【符号の説明】
【００１９】
１  噴霧装置
２  通風ダクト
３  送風ファン
４  給水パイプ
５  支持部材
６  噴射ノズル
７  給水ホース
８  分配器
９  給水ポンプ
１０  給水タンク
１１  台車
１２  車輪
１３  ネット
１４  横棒
１５  保持具
１６  縦棒
１７  フック
１８  吊下部材
１９  吊ワイヤ
２０  取っ手
【図１】
0004931736.tif 000002
【図２】
0004931736.tif 000003
【図３】
0004931736.tif 000004
【図４】
0004931736.tif 000005
【図５】
0004931736.tif 000006